(57)【要約】【課題】光ディスク装置にとってライトストラテジが未知なる光ディスクに対し、記録速度の変化に対応した最適なライトストラテジを簡単に、且つ正確に決定することができるライトストラテジ決定方法を提供する。【解決手段】未知の光ディスクの内、外周テストエリアにおいて、ベースＷＳＴの各値を変えた異なるＷＳＴでＯＰＣ処理が行われて決定された最適記録パワーを基にＤ２Ｃジッターの構成要素ジッターを評価し、最適な低、高速用ベースＷＳＴを決定し、更にこの低、高速用ベースＷＳＴを基にエッジポジションの調整を行うことにより、ライトストラテジの最適化を行い、この低、高速用最適ＷＳＴを基に内挿法により中速用ライトストラテジを設定する。【選択図】      図１
2010040094.tif 000002
【特許請求の範囲】
【請求項１】
光ディスクにマークおよびスペースを形成して情報記録あるいは再生を行う光ディスク装置において、
前記未知の光ディスクの内周および外周テストエリアにおいて、前記内周および外周テストエリアにおける記録速度に対応して、ベースライトストラテジとなるパルス削減率、ＰｏＰｍ比、および付加パルス幅を変えた異なるライトストラテジでＯＰＣ処理を行い、最適記録パワーを決定し、
決定された前記最適記録パワーを所定の値だけ増減させた記録パワーにおいて、所定のデータを前記未知の光ディスクの内周および外周テストエリアに書き込み、
書き込まれた前記所定のデータを読み出して、Ｄ２Ｃジッターの構成要素ジッターのパワーマージンもしくは構成要素ジッターの平均値を求め、
前記パワーマージンもしくは前記構成要素ジッターの平均値を基に、前記内周テストエリアにおける最低速度対する低速用ベースライトストラテジ、および前記外周テストエリアにおける最高速度に対する高速用ベースライトストラテジを決定し、この前記低速用および高速用ベースライトストラテジを基に、それぞれの前記記録速度に対するエッジポジションの自動調整を行うことにより、前記低速用および高速用のライトストラテジを最適化し、
前記最低速度と前記最高速度との中間速度である中速用最適ライトストラテジを、前記低速用最適ライトストラテジおよび前記高速用最適ライトストラテジから内挿計算により求めることを特徴とするライトストラテジ決定方法。
【請求項２】
前記構成要素ジッターは、３ＴＭ−３ＴＳで挟まれるエッジのコンポーネントジッター、またはこの平均値であることを特徴とする請求項１に記載のライトストラテジ決定方法。
【請求項３】
前記構成要素ジッターは、３ＴＭ−３ＴＳおよび３ＴＳ−３ＴＭ間のユニットデビエーションであることを特徴とする請求項１に記載のライトストラテジ決定方法。
【請求項４】
前記構成要素ジッターは、総エレメントデビエーションであることを特徴とする請求項１に記載のライトストラテジ決定方法。
【請求項５】
前記外周テストエリアで前記高速用ベースライトストラテジの決定時に、熱干渉歪等によりベースライトストラテジの設定が困難となった場合、書き込み記録条件の選択として、最高記録速度を当初の目標速度から落として設定するか、もしくは、ターゲットβをマイナス側に変更して記録パワーを下げることを特徴とする請求項１に記載のライトストラテジ決定方法。
【発明の詳細な説明】
【技術分野】
【０００１】
本発明は、光ディスクに情報を記録するための記録品位に係り、詳しくは、光ディスク装置にとってライトストラテジが未知なる光ディスクに対し、記録速度に対応した最適なライトストラテジを簡単に、且つ正確に決定することができるライトストラテジ決定方法に関する。
【背景技術】
【０００２】
光ディスク実記録時において、光ディスク装置にとってライトストラテジ（ＷＳＴ）が未知なる光ディスクに対し、最適なＷＳＴを、簡単に、且つ正確に決定する必要がある。ＤＶＤ±Ｒ系の光ディスクのライトストラテジ・パラメータ（ＷＳＴパラメータ）として代表的なものとして、（ｎ−ｋ）Ｔ等のパルス削減率、ＰｏＰｍ比、エッジポジション、および付加パルス幅がある。図１は、この代表的なＷＳＴパラメータを示したパルスパターンである。図１ａは、（ｎ−ｋ）Ｔ等のパルス削減率を示し、書き込みパルスは、リファレンスパルスの後エッジに対し、後エッジを１Ｔだけ削減したパルス列になっている。
【０００３】
図１ｂは、ＰｏＰｍ比を示し、トップパワーが１００に対しミドルパワーが８０であると、ＰｏＰｍ比は１．２５となる。図１ｃは、エッジポジションを示し、着目するエッジを挟むマーク、スペースの種類により、エッジ位置を最適化するものである。図１ｄは、付加パルス幅を示し、書き込みパルスの前、後端に付加的に加えられるパルス幅であって、第１パルス幅、および第２パルス幅で示される。
【０００４】
これらのＷＳＴパラメータのうち、エッジポジション以外は、明確な設定方法が確立していない。このため、多くの場合、複数の（ｎ−ｋ）Ｔのパルス削減率、およびＰｏＰｍ比の値をマトリクスで変えたものをベースＷＳＴとしてエッジポジションの最適化を行い、このＷＳＴでパワーマージン評価をして、マージンやジッターボトムが良好となるＷＳＴをベストＷＳＴと決定してきた。この方法では、全ての（ｎ−ｋ）Ｔのパルス削減率、およびＰｏＰｍ比の組み合わせについてエッジポジション調整を行う必要があり、更に決定したＷＳＴでパワーを振って評価を行う必要もあり、膨大な手間がかかった。従って、未知の光ディスクに対し、ベストＷＳＴの設定を実記録時に行うことは非常に困難であった。
【０００５】
次に、上記ベースＷＳＴの内、エッジポジション調整以外の各パラメータを内周テストエリアを用いて決定し、記録速度の上昇とともにエッジポジションを調整する場合について説明する。この場合、内周テストエリアにより決定されたベースＷＳＴの各パラメータ自体は、外周の高速領域においても同じ値が用いられる。
【０００６】
図２は、未知のＤＶＤ−Ｒ＿Ｍｅｄｉａに対し、記録速度Ｘ４において付加パルス幅を固定し、ＰｏＰｍ比を１．３とした状態で、パルス削減率を（ｎ−１．０）Ｔ、（ｎ−１．２５）Ｔ、および（ｎ−１．５）Ｔの３種類に対し、エッジポジションの調整を行って、それぞれＷＳＴの最適化を行った上でのパワーマージンを示す。図２ａ、ｂは、記録速度Ｘ４およびＸ１６に対するパワーマージンを示している。Ｘ４については若干わかり難いが、ジッターボトムの値などから、敢えて選択するならば、（ｎ−１．０）ＴのＷＳＴがベストになる。これに対しＸ１６では、明らかに（ｎ−１．５）Ｔがベストであり、Ｘ４で最適と判断したベストＷＳＴが、Ｘ１６で最適になるとは限らないといえる。
【０００７】
特許文献１には、ＷＳＴパラメータをマトリクスで振って記録し、その記録品位から最適ＷＳＴを決定する旨の記載がある。ところがこの方法は、全てのＷＳＴパラメータをマトリクスで変化させて評価を行うため、膨大な手間が掛かる。また、ＷＳＴパラメータを振って記録し、特定のパワーだけのジッターを評価するだけでは、ピンポイントでのジッターの小さいＷＳＴは決定できるが、パワーマージンが狭い危険性がある。この対策としてパワーマージンまで評価するとなると、更に手間が増大することになる。特許文献２には、光ディスクに記録された推奨ＷＳＴを起点にして最適ＷＳＴを求める旨の記載がある。この方法は、ディスクに記録されたＷＳＴが必ずしも信用できるものでない場合、推奨ＷＳＴから離れたＷＳＴについては設定できない問題がある。
【０００８】
特許文献３、４には、ＣＡＶ方式（Ｃｏｎｓｔａｎｔ  Ａｎｇｕｌａｒ  Ｖｅｌｏｃｉｔｙ）等でディスク内の記録速度が変化する場合、内周の低速領域で最適化したＷＳＴを、逐次調整して外周の高速領域に対応させる旨の記載がある。この方法は、図２において説明したとおり、ベストＷＳＴの観点からすれば必ずしも低速で最適であるとして選択したベストＷＳＴが、高速でも最適とは言い切れず、高速記録において、パワーマージンが狭くなる等の問題が発生する危険性がある。
【特許文献１】特開２００７−２８７２２９号公報
【特許文献２】特開２００８−０１６１６４号公報
【特許文献３】特開２００７−２００４３５号公報
【特許文献４】特開２００７−２００３８９号公報
【発明の開示】
【発明が解決しようとする課題】
【０００９】
本発明は、このような問題を解決するためになされたものであり、その目的は、光ディスク装置にとってライトストラテジが未知なる光ディスクに対し、実記録時において、記録速度の変化に対応した最適なライトストラテジを簡単に、且つ正確に決定することができるライトストラテジ決定方法を提供することにある。
【課題を解決するための手段】
【００１０】
本発明のライトストラテジ決定方法は、実記録時に、光ディスク装置にとっては未知の光ディスクに対応した最適なライトストラテジを決定するライトストラテジ決定方法であって、未知の光ディスクの内周および外周テストエリアにおいて、内周および外周テストエリアにおける記録速度に対応して、ベースライトストラテジとなるパルス削減率、ＰｏＰｍ比、および付加パルス幅を変えた異なるライトストラテジでＯＰＣ処理を行い、最適記録パワーを決定し、決定された最適記録パワーを所定の値だけ増減させた記録パワーにおいて、所定のデータを未知の光ディスクの内周および外周テストエリアに書き込み、書き込まれた所定のデータを読み出して、Ｄ２Ｃジッターの構成要素ジッターのパワーマージンもしくは構成要素ジッターの平均値を求め、パワーマージンもしくは構成要素ジッターの平均値を基に、内周テストエリアにおける最低速度対する低速用、および外周テストエリアにおける最高速度に対する高速用ベースライトストラテジを決定し、低速用および高速用ベースライトストラテジを基に、それぞれの記録速度に対するエッジポジションの自動調整を行うことにより、ライトストラテジの最適化を図り、最低速度と最高速度との中間速度である中速用ベースライトストラテジを、低速用最適ライトストラテジおよび高速用最適ライトストラテジから内挿計算により求めることを特徴とする。これにより、ライトストラテジが未知の光ディスクに対し、記録速度の変化に対応した最適なライトストラテジを簡単に、且つ正確に決定することができる。
【００１１】
本発明のライトストラテジ決定方法の構成要素ジッターは、３ＴＭ−３ＴＳで挟まれるエッジのコンポーネントジッター、またはこの平均値であることを特徴とする。これにより、未知の光ディスクのＷＳＴの潜在的な実力を、より正確に判断することが可能となる。
【００１２】
本発明のライトストラテジ決定方法の構成要素ジッターは、３ＴＭ−３ＴＳおよび３ＴＳ−３ＴＭ間のユニットデビエーションであることを特徴とする。これにより、未知の光ディスクのＷＳＴの潜在的な実力を、より正確に判断することが可能となる。
【００１３】
本発明のライトストラテジ決定方法の構成要素ジッターは、総エレメントデビエーションであることを特徴とする。これにより、未知の光ディスクのＷＳＴの潜在的な実力を、より正確に判断することが可能となる。
【００１４】
本発明のライトストラテジ決定方法の外周テストエリアで高速用ベースライトストラテジの決定時に、熱干渉歪等によりベースライトストラテジの設定が困難となった場合、書き込み記録条件の選択として、最高記録速度を当初の目標速度から落として設定するか、もしくは、ターゲットβをマイナス側に変更して記録パワーを下げることを特徴とする。これにより、ベースライトストラテジの設定が困難となった場合、記録条件の選択としてこれらを使い分けることで、より高い記録品位を得ることが可能となる。
【発明の効果】
【００１５】
本発明によれば、光ディスク装置にとってライトストラテジが未知なる光ディスクに対し、記録速度の変化に対応した最適なライトストラテジを簡単に、且つ正確に決定することができるライトストラテジ決定方法を提供することができる。
【発明を実施するための最良の形態】
【００１６】
ライトストラテジが未知の光ディスクに対し、記録速度の変化に対応した最適なライトストラテジを、簡単且つ正確に決定する方法を説明する。本発明による方法は、未知の光ディスクの内周および外周テストエリアにおける記録速度に対応して、ＯＰＣ（Ｏｐｔｉｍｕｍ  Ｐｏｗｅｒ  Ｃｏｎｔｒｏｌ）処理により最適記録パワーＰｏを決定し、決定された最適記録パワーＰｏを基に、ＷＳＴの各パラメータにおける要素ジッターのパワーマージンを評価し、最適の低速用および高速用のベースＷＳＴを求めた後、エッジポジション調整を行ってＷＳＴを最適化し、中速用の最適ＷＳＴは、低速用および高速用の最適ＷＳＴから内挿計算により求める方法を基本とする。つぎに、これについて説明する。
【００１７】
図３は、本発明によるライトストラテジ決定方法の実施例を示すフローチャートである。図３において、ステップ１００では、光ディスク装置に記憶するための、光ディスク装置にとっては未知の光ディスクの内周テストエリアにおいて、ベースＷＳＴとなるパルス削減率、ＰｏＰｍ比、および付加パルス幅を変えた異なるＷＳＴで、ＯＰＣ処理を行い、最適記録パワーＰｏを決定する。つぎに、決定された最適記録パワーＰｏと、Ｐｏを所定の値だけ増減させた記録パワーＰｏ±ΔＰの３つのパワーにおいて、所定のデータを未知の光ディスクの書き込み領域に書き込み、書き込まれた所定のデータを読み出して、Ｄ２Ｃジッターの所定の構成要素におけるパワーマージンもしくは構成要素ジッターの平均値を求める。このパワーマージンもしくは構成要素ジッターの平均値を基に、内周テストエリアにおける最低速度に対する最適の低速用ベースＷＳＴを決定し、引き続きエッジポジション調整を行ってＷＳＴを最適化する。Ｄ２Ｃジッターの各構成要素については、以下で詳しく説明する。
【００１８】
つぎにステップ１１０においては、未知の光ディスクの外周テストエリアにおいて、ベースＷＳＴとなるパルス削減率、ＰｏＰｍ比、および付加パルス幅を変えた異なるＷＳＴで、ＯＰＣ処理を行い、最適記録パワーＰｏを決定する。つぎに、決定された最適記録パワーＰｏと、Ｐｏを所定の値だけ増減させた記録パワーＰｏ±ΔＰの３つのパワーにおいて、所定のデータを未知の光ディスクの書き込み領域に書き込み、書き込まれた所定のデータを読み出して、Ｄ２Ｃジッターの所定の構成要素におけるパワーマージンもしくは構成要素ジッターの平均値を求める。このパワーマージンもしくは構成要素ジッターの平均値を基に、外周テストエリアにおける最高速度に対する最適の高速用ベースＷＳＴを決定し、引き続きエッジポジション調整を行ってＷＳＴを最適化する。
【００１９】
ステップ１２０においては、低速用最適ＷＳＴおよび高速用最適ＷＳＴから、内挿計算により、各記録速度に対する中速用の最適ＷＳＴを求める。内挿計算法については、以下で詳しく説明する。
【００２０】
ステップ１００、ステップ１１０において、求めた最適な低・高速用ベースＷＳＴを基に、エッジポジションの調整を行い、最終的にＷＳＴを最適化するが、この場合、ＯＰＣにより求められたＰｏとＰｏ±ΔＰの３つのパワーでの記録を行い、この３点の構成要素のパワーマージンを比較することで、最適なベースＷＳＴを決定するところ、Ｐｏ−ΔＰとＰｏ＋ΔＰによる２点の平均であっても良い。また、外周テストエリアで高速用ベースライトストラテジの決定時に、熱干渉歪等によりベースライトストラテジの設定が困難となった場合、書き込み記録条件の選択として、最高記録速度を当初の目標速度から落として設定するか、もしくは、ターゲットβをマイナス側に変更して記録パワーを下げても良い。
【００２１】
図４は、記録速度に対する各ベースＷＳＴの関係を示す内挿計算対応図である。図４において、光ディスクの内周テストエリアの記録速度Ｘ６における低速用最適ＷＳＴと外周テストエリアの記録速度Ｘ１６における高速用最適ＷＳＴとに対し、内挿法により中速（Ｘ８〜Ｘ１４）における各ＷＳＴパラメータの補正量を求め、中速用ＷＳＴの各パラメータを補正することにより、最適な中速用ＷＳＴをそれぞれ求めることができる。
【００２２】
次に、Ｄ２Ｃジッターの構成要素を具体的に示すコンポーネントジッター、ユニットデビエーション、および総エレメントデビエーションについて説明する。Ｄ２Ｃジッターの構成要素としてこれらを使い分けることにより、より高い記録品位を得ることが可能となる。図５は、コンポーネントジッターを示すジッター構成図である。図５ａに示される３３ＳＭコンポーネントジッターは、図５ｂにおいて、着目する３Ｔスペースと３Ｔマークとに挟まれたエッジと、クロックエッジとの偏差Ｘ３３のジッターを示している。コンポーネントジッターの計算式は図５ｃで表され、各パターンのエッジについて計算し、それぞれのコンポーネントジッターを求めることができる。
【００２３】
図６は、ユニットデビエーションを示すジッター構成図である。図６ａに示される３３ＳＭユニットデビエーションは、図６ｂにおいて、着目するエッジの両側を３Ｔスペースと３Ｔマークに固定して、更にその先の前後４種類のマーク、スペースの組み合わせによる分布の平均値が、着目するジッターに寄与する成分となっている。ユニットデビエーションの計算式は図６ｃで表され、各パターンについて計算し、それぞれのユニットデビエーションを求めることができる。
【００２４】
図７は、総エレメントデビエーションを示すジッター構成図である。図７ａに示される総エレメントデビエーションは、図７ｂにおいて、全てのエッジについて、その前後４種類のマーク、スペースの組み合わせにおける要素成分の平均値のバラツキを示す成分となっている。総エレメントデビエーションの計算式は図７ｃで表される。
【００２５】
以上説明したように、本発明によると、光ディスク装置にとってライトストラテジが未知なる光ディスクに対し、記録速度の変化に対応した最適なライトストラテジを簡単に、且つ正確に決定することができるライトストラテジ決定方法を提供することができる。エッジポジションを調整することなく最適なベースＷＳＴを設定できるため、光ディスクの使用量が大幅に減り、且つ調整時間も大幅に短縮することが可能となる。
【図面の簡単な説明】
【００２６】
【図１】ＷＳＴの代表的なパラメータを示したパルスパターン。
【図２】記録速度Ｘ４によりそれぞれＷＳＴの最適化を行ったパワーマージン評価図。
【図３】本発明によるライトストラテジ決定方法の実施例を示すフローチャート。
【図４】記録速度に対する各ベースＷＳＴの関係を示す内挿計算対応図。
【図５】コンポーネントジッターを示すジッター構成図。
【図６】ユニットデビエーションを示すジッター構成図。
【図７】総エレメントデビエーションを示すジッター構成図。
【符号の説明】
【００２７】
ＷＳＴ  ライトストラテジ
ＯＰＣ  Ｏｐｔｉｍｕｍ  Ｐｏｗｅｒ  Ｃｏｎｔｒｏｌ
Ｐｏ  最適記録パワー
ΔＰ  Ｐｏの増加または減少分
ＰｏＰｍ比  Ｔｏｐ  Ｐｏｗｅｒ／Ｍｉｄｄｌｅ  Ｐｏｗｅｒ
Ｄ２Ｃ  Ｄａｔａ  ｔｏ  Ｃｌｏｃｋ
【図１】
2010040094.tif 000003
【図２】
2010040094.tif 000004
【図３】
2010040094.tif 000005
【図４】
2010040094.tif 000006
【図５】
2010040094.tif 000007
【図６】
2010040094.tif 000008
【図７】
2010040094.tif 000009